(57)【特許請求の範囲】
【請求項１】
浴槽が設置される浴槽用床パンの下面側に配設する浴槽側トラップ本体部を上方に開口せる有底筒状に形成すると共に、この浴槽側トラップ本体部内に底壁から立設した内筒部で仕切られた内筒部の外側の第１部屋部と内筒部の内側の第２部屋部とを形成し、第１部屋部に浴槽側トラップ本体部外への第１出口部を設けると共に第２部屋部に浴槽側トラップ本体部外への第２出口部を設け、浴槽側トラップ本体部の上方開口に浴槽側蓋部を被着し、この浴槽側蓋部に、浴槽排水流入孔と床パン排水流入孔とを設けると共に、浴槽排水流入孔から下方に向けて浴槽排水トラップ用筒部を突設し、浴槽側トラップ本体部の内筒部の上端を浴槽側蓋部側に水密的に接続して床パン排水流入孔を浴槽側トラップ本体部の第２部屋部に連通し、浴槽排水トラップ用筒部を第１部屋部内で且つその内部に内筒部を位置させるように上方から挿入し、第１部屋部で浴槽排水トラップ部における封水貯留部の少なくとも一部を構成すると共に、第２部屋部で床パン排水トラップ部における封水貯留部の少なくとも一部を構成し、第２部屋部の下部に、浴槽側トラップ本体部の側壁に設けた第２出口部にまで浴槽側トラップ本体部の底壁に沿わせた横流路部を設け、この横流路部の下端壁を浴槽側トラップ本体部の底壁で構成すると共に、この横流路部の上面に浴槽排水トラップ用筒部の下端の一部を載置して成ることを特徴とするトラップ装置。
【発明の詳細な説明】
【技術分野】
【０００１】
本発明は、浴槽からの排水、浴槽用床パンからの排水を１つのトラップ装置で排水するための技術に関するものである。
【背景技術】
【０００２】
従来から、浴槽が設置される浴槽用床パン３の下面側に配設するトラップ装置には、浴槽内の浴水を排水する排水経路や、浴槽を載置した浴槽用床パン上の浴水を排水する排水経路が備えられ、構成の簡略化を図って、排水トラップの内部に備えた封水を貯留する封水貯留部に、浴槽排水及び床パン排水の各排水経路が連通されていたが、この構成のものだと、最も排水量の多い浴槽排水が封水貯留部を介して床パン排水の排水経路に逆流して浴槽用床パン上に溢れ出したりするおそれがあった。
【０００３】
しかして、たとえば図１１のように、浴槽排水、床パン排水の各排水経路毎に、封水貯留部２ａを備えた浴槽排水トラップ部２と封水貯留部４ａを備えた床パン排水トラップ部４とを備えて、同一の封水貯留部を介した逆流を防止して排水の浴槽用床パン３上への溢れ出しの回避を期した構造のトラップ装置２２´が開発されるに至っている。
【０００４】
ところで、このトラップ装置２２´では、図１１（ｂ）のように、浴槽排水トラップ部２は上方に開口して封水が貯留される浴槽側トラップ本体部２３内に浴槽排水トラップ用筒部２５が挿入され、浴槽排水トラップ用筒部２５の下端を浴槽側トラップ本体部２３の底面から浮かして配置することで構成されているが、この浴槽排水トラップ用筒部２５は浴槽側トラップ本体部２３に螺合構造で取付けられている。つまり、浴槽排水トラップ用筒部２５はその上端を基準にして浴槽排水トラップ用筒部２５内の封水高さが決まるようになっている。したがって、浴槽排水トラップ用筒部２５の浴槽側トラップ本体部２３内へのねじ込み深さが浅すぎると封水高さが不足して法律基準（封水高さには５ｃｍ以上が必要とされる）をクリアできなくなり、また、浴槽排水トラップ用筒部２５の浴槽側トラップ本体部２３内へのねじ込み深さが深すぎると浴槽排水の排水流路面積を必要以上に狭めてしまって排水流れが悪くなるといった問題があった。
【０００５】
殊に、前者の問題には法令順守の考えからしっかりした対応が必要であり、封水高さのばらつきがあっても法律で定められている封水高さ（５ｃｍ）を確保できるように、浴槽排水トラップ用筒部２５の長さを予め余裕を持たせて一定長さ余分に長く形成すると、トラップ装置２２´の高さを低く抑えることができないのであった。近年では限られた建物内空間で広い居住空間を得ようとして居住空間の上下高さを高く形成する傾向があり、この傾向は浴室も同様であって床パン下スペースの厚みを薄く形成した場合には、上記高さの低減が図れない従来のトラップ装置２２´では充分に対応できるものではないのである。
【特許文献１】特開２００５−２８２１２３号公報
【発明の開示】
【発明が解決しようとする課題】
【０００６】
本発明は上記の従来の問題点に鑑みて為したものであって、浴槽排水が逆流して浴槽用床パン上に溢れ出ることを回避できるのは勿論のこと、トラップ装置の構成の簡略化やトラップ装置の薄型化を図りつつ、流量の多い浴槽排水トラップ部に所定の封水高さを確保できるトラップ装置を提供することを課題とするものである。
【課題を解決するための手段】
【０００７】
上記課題を解決するために本発明の請求項１に係るトラップ装置は、浴槽１が設置される浴槽用床パン３の下面側に配設する浴槽側トラップ本体部２３を上方に開口せる有底筒状に形成すると共に、この浴槽側トラップ本体部２３内に底壁から立設した内筒部２８で仕切られた内筒部２８の外側の第１部屋部５５と内筒部２８の内側の第２部屋部５６とを形成し、第１部屋部５５に浴槽側トラップ本体部２３外への第１出口部５７を設けると共に第２部屋部５６に浴槽側トラップ本体部２３外への第２出口部５８を設け、浴槽側トラップ本体部２３の上方開口に浴槽側蓋部６０を被着し、この浴槽側蓋部６０に、浴槽排水流入孔３４と床パン排水流入孔３５とを設けると共に、浴槽排水流入孔３４から下方に向けて浴槽排水トラップ用筒部２５を突設し、浴槽側トラップ本体部２３の内筒部２８の上端を浴槽側蓋部６０側に水密的に接続して床パン排水流入孔３５を浴槽側トラップ本体部２３の第２部屋部５６に連通し、浴槽排水トラップ用筒部２５を第１部屋部５５内で且つその内部に内筒部２８を位置させるように上方から挿入し、第１部屋部５５で浴槽排水トラップ部２における封水貯留部２ａの少なくとも一部を構成すると共に、第２部屋部５６で床パン排水トラップ部４における封水貯留部４ａの少なくとも一部を構成し、第２部屋部５６の下部に、浴槽側トラップ本体部２３の側壁に設けた第２出口部５８にまで浴槽側トラップ本体部２３の底壁に沿わせた横流路部５９を設け、この横流路部５９の下端壁を浴槽側トラップ本体部２３の底壁で構成すると共に、この横流路部５９の上面に浴槽排水トラップ用筒部２５の下端の一部を載置して成ることを特徴とする。
【０００８】
これによると、トラップ装置２２に浴槽排水を封水して排水する排水経路と床パン排水を封水して排水する排水経路とを別個に備えることができて、つまり、従来一般のトラップ装置２２´のように浴槽排水の排水経路及び床パン排水の排水経路とが同一の封水貯留部で連通するものではなく、したがって、浴槽排水がトラップ部分を介して床パン排水の排水経路に逆流してその結果浴槽用床パン３上に溢れ出てしまうといったことを回避することができる。そして、この逆流を防止するために採用された第２部屋部５６の下部の横流路部５９はその下端壁が浴槽側トラップ本体部２３の底壁で構成されているから、つまり浴槽側トラップ本体部２３の底壁が第２部屋部５６の流路壁を兼用できてトラップ装置２２の構成の簡略化が図られており、また、この横流路部５９の上面に浴槽排水トラップ用筒部２５の下端の一部を載置したことから、浴槽排水トラップ用筒部２５の上下位置の位置決めが確実になされ、つまり逆流を防止するために採用された第２部屋部５６の下部の横流路部５９を利用して浴槽排水トラップ用筒部２５における適宜の封水高さや浴槽排水の適宜の流路面積を確保でき、従来のように浴槽排水トラップ用筒部２５に余長部分を形成する必要が無くて、トラップ装置２２の高さを低く抑える（つまり薄型化）が可能にされている。
【発明の効果】
【０００９】
本発明は、浴槽排水が逆流して浴槽用床パン上に溢れ出ることを回避できるのは勿論のこと、トラップ装置の構成の簡略化やトラップ装置の薄型化を図りつつ、流量の多い浴槽排水トラップ部に所定の封水高さを確保できる、といった利点を有する。
【発明を実施するための最良の形態】
【００１０】
以下、本発明を添付図面に示す実施形態に基いて説明する。
【００１１】
浴室を構成する浴室ユニットは、浴槽１を設置する浴槽用床パン３と洗い場床パン５とで構成される床パンの周囲に、壁パネル及びドアを有する出入り口枠とを立設し、壁パネル及び出入り口枠で囲まれた部分の上端部に天井パネルを配設して構成してある。
【００１２】
該浴室ユニットからの排水は、浴槽１からの湯水の排水、浴槽１を設置する浴槽用床パン３からの湯水の排水、洗い場床パン５からの湯水の排水の３種類の排水があり、本発明においては、この３種類の排水がそれぞれ流れる３種類のトラップ、つまり、浴槽１からの排水が流れる浴槽排水トラップ部２と、浴槽１を設置する浴槽用床パン３からの排水が流れる床パン排水トラップ部４と、洗い場床パン５からの排水が流れる洗い場排水トラップ部６とを備えたトラップ装置２２が用いられている。
【００１３】
このトラップ装置２２は図１、図３に示すように、浴槽側トラップ本体部２３と、浴槽側固定用上筒２４と、浴槽側蓋部６０と、洗い場側トラップ本体部１６と、洗い場側蓋部４３と、洗い場側固定用上筒１５と、洗い場排水トラップ用筒体１７とで構成してある。
【００１４】
浴槽側トラップ本体部２３は図７に示すようなもので、浴槽排水トラップ部２の主体となるもので上方が開口した有底円筒状をしており、上端開口部の外周にフランジ部２６を一体に設けてある。この浴槽側トラップ本体部２３内に底壁から立設した内筒部２８で仕切られた内筒部２８の外側の第１部屋部５５と内筒部２８の内側の第２部屋部５６とが形成されており、第１部屋部５５には浴槽側トラップ本体部２３外への第１出口部５７が設けられ、第２部屋部５６には浴槽側トラップ本体部２３外への第２出口部５８が設けられている。詳しくは、第１出口部５７は、有底円筒状をした浴槽側トラップ本体部２３の側壁に連結されて第１部屋部５５内に連通する第１排水筒部２７で構成されている。なお、この第１排水筒部２７は浴槽側トラップ本体部２３の外方に横向きに一体に突設されている。また、内筒部２８は浴槽側トラップ本体部２３の底壁の中心から偏芯した位置に上方に向けて一体に突設してあり、内筒部２８の下部には浴槽側トラップ本体部２３の底壁に沿って側壁まで至る横流路部５９が設けられている。横流路部５９が連結する浴槽側トラップ本体部２３の側壁には第２出口部５８が設けられている。具体的に、一端部が内筒部２８内に開口した第２排水筒部２９が浴槽側トラップ本体部２３の底壁に沿って浴槽側トラップ本体部２３の側壁を貫通して外方に横方向に一体に突設してある。つまり、横流路部５９は、上記第２排水筒部２９の浴槽側トラップ本体部２３の底壁に沿った部分で構成されており、また、第２出口部５８は、第２排水筒部２９の浴槽側トラップ本体部２３外に位置した部位で構成されている。また、浴槽側トラップ本体部２３の内周上端部には雌ねじ部が形成してある。
【００１５】
ここで、横流路部５９はその下側流路壁が平面状の浴槽側トラップ本体部２３の底壁で構成されており、その上側流路壁が浴槽側トラップ本体部２３の底壁から上方に突設した逆角Ｕ字壁で形成され、横流路部５９は扁平な矩形管状に形成されている。このように浴槽側トラップ本体部２３の底壁は第２部屋部５６の流路壁を兼用しており、トラップ装置２２の構成の簡略化が図られている。また、浴槽側トラップ本体部２３の底壁には複数の突起部５３が上方に向けて突設してある。この複数の突起部５３は後述の第１部屋部５５に挿入した浴槽排水トラップ用筒部２５と同一円周上に所定間隔毎に配設されている。そして、上記突起部５３の上面と横流路部５９の上面とは同一の高さレベルに形成されている。
【００１６】
浴槽側固定用上筒２４は上端にフランジ部３０を一体に設けてあると共に外周部に雄ねじ部を設けてある。浴槽側固定用上筒２４は浴槽用床パン３に設けた孔３１に上方から挿入し、浴槽用床パン３の下面側において上開口が上記孔３１と連通するように配置した浴槽側トラップ本体部２３の内周上端部の雌ねじ部に螺合して、浴槽用床パン３を上下からフランジ部３０、２６で挟着することで、図２に示すように浴槽用床パン３に浴槽側トラップ本体部２３と浴槽側固定用上筒２４とを固着するようになっている。
【００１７】
浴槽側蓋部６０は、円盤状の基板部３２に浴槽排水流入孔３４と床パン排水流入孔３５とが設けてある。また、この基板部３２から浴槽排水トラップ部２を構成する浴槽排水トラップ用筒部２５が下方に突設されている。この浴槽排水トラップ用筒部２５は図８に示すように上端部が下部よりも外径が大きいはめ込み部２５ａとなっており、はめ込み部２５ａの外周にはパッキン３３が設けてある。浴槽排水トラップ用筒部２５の上端には基板部３２に穿設された上記浴槽排水流入孔３４が開口している。なお、浴槽排水流入孔３４と床パン排水流入孔３５とは基板部３２の中心から偏芯した位置に設けてある。また、図２に示すように基板部３２の床パン排水流入孔３５の孔縁からは下方に垂下筒部３６が一体に垂設してある。
【００１８】
浴槽側蓋部６０は上記浴槽側トラップ本体部２３に固定した浴槽側固定用上筒２４に上方から差し込まれてはめ込み部２５ａに設けたパッキン３３が浴槽側固定用上筒２４の内周面に圧接されることで気密的にはめ込まれる。この場合、図１に示すように浴槽排水トラップ用筒部２５が浴槽側トラップ本体部２３内の第１部屋部５５内に上方から挿入されるのであり、浴槽排水トラップ用筒部２５の下端が突起部５３の上面と横流路部５９の上面とに当たるまで浴槽側蓋部６０を押し込むことで、浴槽排水トラップ用筒部２５の上下位置の位置決めが可能にされている。なお、突起部５３は後述の連通部３８を広く形成させるための比較的小さい突起に形成されるのが好ましく、この場合取付誤差等によって浴槽排水トラップ用筒部２５の下端が突起部５３に当接しないことも考えられるが、横流路部５９は上面視で浴槽排水トラップ用筒部２５の内外に渡るように形成されているから、浴槽排水トラップ用筒部２５はその下端を横流路部５９の上面には確実に当接させることができて、浴槽排水トラップ用筒部２５の上下位置の位置決めを確実に行い得るのである。
【００１９】
上記のように浴槽側蓋部６０を浴槽側固定用上筒２４に気密的にはめ込むことで、第１部屋部５５内では、浴槽側蓋部６０の浴槽排水トラップ用筒部２５の下端と浴槽側トラップ本体部２３の底壁との間に、浴槽排水トラップ用筒部２５の内部と、浴槽側トラップ本体部２３の内面と、浴槽排水トラップ用筒部２５の外面との間の隙間３７とを連通する所定高さ（突起部５３の上面や横流路部５９の上面の浴槽側トラップ本体部２３の底壁からの高さ）の連通部３８が形成されることとなり、浴槽排水流入孔３４、浴槽排水トラップ用筒部２５の内部、連通部３８、第１排水筒部２７が連通するのである。
【００２０】
また、浴槽排水トラップ用筒部２５を浴槽側固定用上筒２４に気密的にはめ込んだ状態では、浴槽側蓋部６０の垂下筒部３６が内筒部２８にはめ込まれ、垂下筒部３６と内筒部２８又は内筒部２８と基板部３２の下面との間にパッキン４０が介在されて気密的に接続されるのであり、つまり第２部屋部５６が第１部屋部５５と完全に仕切られた状態で、床パン排水流入孔３５、垂下筒部３６、内筒部２８が連通するのである。
【００２１】
洗い場側トラップ本体部１６は図９に示すように上方が開口した有底円筒状をしており、この洗い場側トラップ本体部１６の下部に外周部の片側半分に沿って略Ｌ型筒状をした接続部２０の立ち上り筒部２０ａが一体に設けてあり、この立ち上がり筒部２０ａは上方ほど断面積が大きくなっており、この立ち上がり筒部２０ａの上開口に連通するように洗い場側トラップ本体部１６の上部外周部の片側半分に沿って第１排水路７が一体に形成してある。
【００２２】
また、洗い場側トラップ本体部１６の上部外周部の他方の片側半部に沿って洗い場側トラップ本体部１６と連通する上方が開口した溝状をした第３排水路９が一体に形成してあり、第３排水路９の外側に更に上方が開口する溝状の第２排水路８が一体に形成してあり、上記第１排水路７、第２排水路８、第３排水路９はほぼ同じレベルで横方向に並設してある。第１排水路７、第２排水路８、第３排水路９の下流側端部は一箇所に集まって洗い場側トラップ本体部１６に一端部に設けた合流部１０において合流している。
【００２３】
溝状をした第１排水路７、第２排水路８、第３排水路９を一体に形成した有底筒状をした洗い場側トラップ本体部１６の上端部には図１０に示すような洗い場側蓋部４３が取着され、溝状をした第１排水路７、第２排水路８、第３排水路９の上開口が閉じられ、洗い場側蓋部４３に設けた孔４４が有底円筒状の洗い場側トラップ本体部１６の上開口と連通している。
【００２４】
また、第２排水路８の上流側端の下面部に略Ｌ型筒状をした接続部２１の立ち上り筒部２１ａが第２排水路８に連通するように一体形成してある。
【００２５】
上記接続部２０の横筒部が前述の浴槽側トラップ本体部２３から横方向に突設した第１出口部５７となる第１排水筒部２７に連通接続してあり、また、接続部２１が浴槽側トラップ本体部２３から横方向に突設した第２出口部５８を構成した第２排水筒部２９に連通接続してある。
【００２６】
接続部２０の上端である第１排水路７との連通部分の高さレベルは上記突起部５３の上面や横流路部５９の上面に当接して位置決めされる浴槽排水トラップ用筒部２５の下端から一定高さ高い（詳しくは、法律で定められた封水高さである５ｃｍ、又は５ｃｍよりも僅かに高い）高さレベルとなっている。したがって、連通状態にある接続部２０、第１排水筒部２７、第１部屋部５５は、いわば全体で略Ｕ字状の経路を形成するものであって、浴槽排水トラップ用筒部２５の下端から上記一定高さ（５ｃｍ）にまで封水が貯留されるのであり、浴槽排水トラップ部２が構成される。換言すると、接続部２０は浴槽排水トラップ部２における下流側の封水貯留部２ａを構成し、第１部屋部５５は浴槽排水トラップ部２における上流側の封水貯留部２ａを構成し、第１排水筒部２７は上記浴槽排水トラップ部２の上流側及び下流側の各封水貯留部２ａを連結する部位を構成している。
【００２７】
また、接続部２１の上端である第２排水路８との連通部分の高さレベルは、第２部屋部５６に所定高さ（５ｃｍ）の封水高さを得るように、第２部屋部５６の底部（つまり浴槽側トラップ本体部２３の底壁上面）から一定高さ高い（詳しくは、法律で定められた封水高さである５ｃｍ、又は５ｃｍよりも僅かに高い）高さレベルとなっている。したがって、連通状態にある接続部２１、第２排水筒部２９、第２部屋部５６は、いわば全体で略Ｕ字状の経路を形成するものであって、第２部屋部５６の底部から上記一定高さ（５ｃｍ）にまで封水が貯留されるのであり、床パン排水トラップ部４が構成される。換言すると、接続部２１は床パン排水トラップ部４における下流側の封水貯留部４ａを構成し、第２部屋部５６は床パン排水トラップ部４における上流側の封水貯留部４ａを構成し、第２排水筒部２９は上記床パン排水トラップ部４の上流側及び下流側の各封水貯留部４ａを連結する部位を構成している。
【００２８】
また、上記第１排水路７、第２排水路８、第３排水路９の各下流側端がそれぞれ出口部１２、１３、１４となっていて３つの出口部１２、１３、１４が一箇所に集まって筒状をした合流部１０に開口して連通している。この合流部１０には排水管１１が接続される。なお、図の実施形態では筒状の合流部１０内に排水管１１の上流側端部がはめ込み接続されるので排水管１１の端部が実質的な排水の合流部分となる。つまり、３つの出口部１２、１３、１４が一箇所の合流部１０で合流して該合流部１０が排水管１１との接続部を兼用している。
【００２９】
ここで、各出口部１２、１３、１４から合流部１０への排水の排出方向がほぼ平行となっている。また、横に並んだ３つの出口部１２、１３、１４の配列は、第３排水路９の出口部１４の横方向の一側に第１排水路７の出口部１２が横方向並設しており、第３排水路９の出口部１４の横方向の他側に第２排水路８の出口部１３が横方向に並設している。更に、第１排水路７の下端と第２排水路８の出口部１３の下端は、第３排水路９の出口部１４の下端よりも上方に位置しており、第１排水路７の出口部１２の下端及び第２排水路８の出口部１３の下端と合流部１０の底部との間には段部３９が設けてある。また、洗い場側トラップ本体部１６の底壁には上方に向けて突起部４５が設けてある。
【００３０】
洗い場側固定用上筒１５は上端にフランジ部４６を一体に設けてあると共に外周部に雄ねじ部を設けてある。洗い場側固定用上筒１５は洗い場床パン５に設けた孔４７に上方から挿入し、洗い場床パン５の下面側に洗い場側蓋部４３を配置して孔４４と上記孔４７とを連通させた状態で孔４４の内周の雌ねじ部に螺合することで、図２に示すように洗い場床パン５を上下からフランジ部４６と洗い場側蓋部４３とで挟着して、洗い場床パン５に洗い場側トラップ本体部１６と洗い場側固定用上筒１５とを固着するようになっている。
【００３１】
洗い場排水トラップ用筒体１７は上端部が下部よりも外径が大きいはめ込み部１７ａとなっており、はめ込み部１７ａの外周にはパッキン４８が設けてあり、洗い場排水トラップ用筒体１７の上端には洗い場排水流入孔５０が設けてある。洗い場排水トラップ用筒体１７は上記洗い場側固定用上筒１５に上方から差し込まれてはめ込み部１７ａに設けたパッキン４８が洗い場側固定用上筒１５の内周面に圧接されることで気密的はめ込まれる。この場合、洗い場排水トラップ用筒体１７の下端が突起部４５の上面に当たるまで洗い場排水トラップ用筒体１７を押し込むことで、確実に洗い場排水トラップ用筒体１７の下端の位置決めができて一定の封水高さを確保できるようになっている。
【００３２】
上記のように洗い場排水トラップ用筒体１７を洗い場側固定用上筒１５に気密的にはめ込むことで、洗い場排水トラップ用筒体１７の下端と洗い場側トラップ本体部１６の底壁との間に、洗い場排水トラップ用筒体１７の内部と、洗い場側トラップ本体部１６の内面と洗い場排水トラップ用筒体１７の外面との間の隙間１８とを連通する連通部１９が形成されることになり、洗い場排水流入孔５０、洗い場排水トラップ用筒体１７の内部、連通部１９、隙間１８が連通することになる。上記隙間１８の上端は第３排水路９と連通しており、突起部４５に載置することで位置決めされた洗い場排水トラップ用筒体１７の下端から上記隙間１８と第３排水路９との連通部分の最下端（つまり隙間１８と第３排水路９との間の仕切り壁１６ａの上端）までの上下長さが封水高さとなっており、その封水高さは法律で定められた封水高さである５ｃｍ、又は５ｃｍよりも僅かに高い長さとしてある。したがって、連通部１９を介して洗い場排水トラップ用筒体１７の内外に連通する封水が貯留される封水貯留部６ａが形成されることで洗い場排水トラップ部６が構成されている。
【００３３】
第３排水路９の上流側は有底筒状をした洗い場側トラップ本体部１６との間の仕切り壁１６ａの上端よりも低くなっており、更に、上流側と下流側との間に段差１６ｂが形成してあって下流側は上流側より更に低くなっている。
【００３４】
浴槽１は浴槽用床パン３に載置するものであり、この場合、浴槽１の底面部に設けた排水部５１の下端部の筒部をシール部材５２を介して浴槽側蓋部６０の浴槽排水流入孔３４にはめ込む。
【００３５】
上記のような排水構造において、浴槽１からの排水が最も排水量が多く、その次に排水量が多いのは洗い場床パン５からの排水であり、浴槽用床パン３からの排水量は最も少ない。つまり、浴槽用床パン３には、浴槽１の上フランジと壁パネルとのシール部分が破れて浸入した水や、洗い場床パン５側から洗い場床パン５と浴槽用床パン３との境界部分の堤部５４を越えて浴槽用床パン３に浸入した水等が排水されるため、排水量が、浴槽１や洗い場床パン５からの排水に比べると少ないのである。
【００３６】
浴槽１の排水は浴槽排水トラップ部２から第１排水路７に流れ、第１排水路７の下流側端部の出口部１２から合流部１０に流れて排水管１１へと流れ出る。洗い場床パン５の排水は洗い場排水トラップ部６から第３排水路９に流れ、第３排水路９の下流側端部の出口部１４から合流部１０に流れて排水管１１へと流れ出る。また、浴槽用床パン３の排水は床パン排水トラップ部４から第２排水路８に流れ、第２排水路８の下流側端部の出口部１３から合流部１０に流れて排水管１１へと流れ出るようになっている。
【００３７】
上記構成を有した本例のトラップ装置２２にあっては、浴槽１の排水、洗い場床パン５の排水、浴槽用床パン３の排水という３つの異なる排水が、それぞれ浴槽排水トラップ部２、床パン排水トラップ部４、洗い場排水トラップ部６で個別に封水することで異なる３箇所における排水箇所の封水を確実に行うことが可能にされている。殊に、流量が比較的多い浴槽排水や洗い場排水に対応した浴槽排水トラップ部２や洗い場排水トラップ部６では、浴槽排水や洗い場排水の排水流れの勢いを緩和させて各封水貯留部２ａでの封水切れを発生ないようにするべく、浴槽排水トラップ用筒部２５や洗い場排水トラップ用筒体１７が採用されていて、浴槽排水トラップ用筒部２５や洗い場排水トラップ用筒体１７の下端から算出する封水高さに法律で定められている封水高さ（５ｃｍ）を確保するようにしているが、浴槽排水トラップ用筒部２５を有した浴槽側蓋部６０や洗い場排水トラップ用筒体１７は浴槽側トラップ本体部２３や洗い場排水トラップ本体に対して上方から押し込むようにして挿入配置されるのであって、このとき浴槽排水トラップ用筒部２５はその下端を横流路部５９や突起部５３の上面に当接させるまで下方に押し込むようにされ、洗い場排水トラップ用筒体１７はその下端を突起部４５の上面に当接させるまで下方に押し込むようにされるから、確実に浴槽排水トラップ用筒部２５や洗い場排水トラップ用筒体１７の上下位置の位置決めができて、一定の封水高さを確保できるようになっているのである。つまり、従来のトラップ装置２２´のように浴槽排水トラップ用筒部２５が浴槽排水トラップ本体部に螺合構造で取付けられたものでは、螺合具合によって浴槽排水トラップ用筒部２５の上下位置にばらつきが出やすいものであり、所定の封水高さを得ようとすれば浴槽排水トラップ用筒部２５の長さを予め余裕を持たせて一定長さ余分に長いものとする必要があって、これがためにトラップ装置２２´の薄型化を図ることができないのであったが、本例のトラップ装置２２では上記のように確実に浴槽排水トラップ用筒部２５や洗い場排水トラップ用筒体１７の上下位置の位置決めができるから、所定の封水高さを確実に得ることができるのは勿論のこと、従来のように浴槽排水トラップ用筒部２５や洗い場排水トラップ用筒体１７に余長部分を設ける必要はなくて、このため薄型化が図られたトラップ装置２２となっているのである。
【００３８】
また、浴槽排水トラップ部２、床パン排水トラップ部４、洗い場排水トラップ部６からそれぞれ個別の排水路である第１、第２、第３排水路８に個別に排水し、上記３つの個別の排水路を流れる排水を一箇所の合流部１０で合流させるので、浴槽からの排水、浴槽用床パン３からの排水、洗い場床パンからの排水をいずれも圧力損失を少なくしてスムーズに排水でき、しかも、浴槽排水トラップ部２から流れる浴槽１からの多量の排水が浴槽用床パン３側、洗い場床パン５側に逆流し難いものとなっている。
【００３９】
ここで、横方向に並設した第１排水路７、第２排水路８、第３排水路９の各下流側の出口部１２、１３、１４の合流部１０への排水の排出方向がほぼ平行となっているので、各排水路の出口部から流れる排水が別の排水路に逆流し難いものであり、更に、図９（ａ）、（ｂ）（ｃ）に示す実施形態のように各出口部１２、１３、１４の合流部１０への排水の排出方向と、合流部１０からの排水方向とが同じとなるように構成することで、よりいっそう逆流がし難くなっている。
【００４０】
更に、図９（ｃ）に示すように、３つの並設した出口部１２、１３、１４のうち最も大量の排水が合流部１０に流れる第１の排水路７の出口部１２と、最も容量が小さい床パン排水トラップ部４に接続した第２排水路８の出口部１４とが隣接せず、両者の間に床パン排水トラップ部４よりも容量が大きい洗い場排水トラップ部６に連通する第３排水路９の出口部１４が位置するように構成してあるので、浴槽１からの排水が第１の排水路７の出口部１２から合流部１０に流れた際に逆流するような事態が生じたとしても隣りの洗い場排水トラップ部６に連通する第３排水路９の出口部１４から洗い場排水トラップ部６側に逆流することになって、遠く離れている第２排水路８の出口部１３から逆流しないようにできる。したがって、容量の小さい床パン排水トラップ部４を越えて浴槽用床パン３に逆流するのが効果的に防止されているのである。
【００４１】
また図９（ｃ）に示すように第２排水路８の出口部１３の下端を、第３排水路９の出口部１４の下端よりも上方に位置させてあるので、浴槽１からの排水が第１の排水路７の出口部１２から合流部１０に流れた際に逆流するような事態が生じても、洗い場排水トラップ部６に連通する第３排水路９の出口部１４から洗い場排水トラップ部６側に逆流して、容量の小さい床パン排水トラップ部４側に逆流することが阻止され、容量の小さい床パン排水トラップ部４を越えて浴槽用床パン３に逆流するのが効果的に防止されている。この場合、図９（ｃ）のように、第１の排水路７の出口部１２と、最も容量が小さい床パン排水トラップ部４に接続した第２排水路８の出口部１４とが隣接せず、両者の間に床パン排水トラップ部４よりも容量が大きい洗い場排水トラップ部６に連通する第３排水路９の出口部１４が位置するように構成してあることでよりいっそう床パン排水トラップ部４側への逆流が防止できることになっている。
【００４２】
また、第３排水路９の出口部１４の下端が第１排水路７の出口部１４の下端よりも下方に位置しているので、第１排水路７の出口部１４から合流部１０に最も排水流量が多い浴槽１の排水が流れているときに、洗い場床パン５からの排水を流す際、洗い場床パン５からの排水が、第１排水路７の出口部１２から合流部１０への流入位置よりも、少し低い位置から出口部１４から合流部１０にスムーズに流すことができる。また、出口部１４の下端が出口部１２よりも下方に位置しているので、第１排水路７の出口部１２から合流部１０に最も排水流量が多い浴槽１の排水が合流部１０に流れる際に第３排水路９の出口部１４から逆流するおそれがあるが、この場合、第３排水路９の上流側と下流側との間に段差１６ｂがあるので、逆流を防止でき、更に、仕切り壁１６ａがあるので、ここでも逆流防止が図れることになっている。
【００４３】
なお、合流部１０における出口部１２、１３間の壁部分、出口部１３、１４間の壁の端部分を軟質素材で形成したり、あるいは、ヒンジ手段により可動自在なフィンにより形成すると、排水流量により出口部１２、１３、１４の面積を可変でき、最適流量調整が可能となり、また、これにより、ある出口部からの排水流量が多くなって開口面積が大きくなると隣の出口部の開口面積が小さくなるので、よりいっそう隣の出口部からの逆流の防止が図られているのである。この場合、正圧がかかった場合や逆流時にフィンにより出口部を閉じるようにしてもよい。
【図面の簡単な説明】
【００４４】
【図１】本発明の実施の形態の例のトラップ装置の側断面図である。
【図２】同上のトラップ装置を床パンに設置した状態の側断面図である。
【図３】（ａ）（ｂ）は同上のトラップ装置の角度を変えて見た各斜視図である。
【図４】同上のトラップ装置の各蓋部を外した状態の斜視図である。
【図５】図４の上面図である。
【図６】同上の要部の側面図である。
【図７】同上のトラップ装置の浴槽側トラップ本体部であり、（ａ）は斜視図であり、（ｂ）は上面図であり、（ｃ）（ｄ）は角度を変えて見た各側面図である。
【図８】同上のトラップ装置の浴槽側蓋部の斜視図である。
【図９】同上のトラップ装置の洗い場側トラップ本体部であり、（ａ）は斜視図であり、（ｂ）は上面図であり、（ｃ）（ｄ）は角度を変えて見た各側面図である。
【図１０】同上のトラップ装置の洗い場側蓋部の斜視図である。
【図１１】従来技術の例のトラップ装置であって、（ａ）は斜視図であり、（ｂ）は浴槽用床パンに設置した状態の要部の断面図である。
【符号の説明】
【００４５】
２  浴槽排水トラップ部
２ａ  封水貯留部
３  浴槽用床パン
４  床パン排水トラップ部
４ａ  封水貯留部
２２  トラップ装置
２３  浴槽側トラップ本体部
２５  浴槽排水トラップ用筒部
２８  内筒部
３４  浴槽排水流入孔
３５  床パン排水流入孔
５５  第１部屋部
５６  第２部屋部
５７  第１出口部
５８  第２出口部
５９  横流路部
６０  浴槽側蓋部
【図１】
0004539602.tif 000002
【図２】
0004539602.tif 000003
【図３】
0004539602.tif 000004
【図４】
0004539602.tif 000005
【図５】
0004539602.tif 000006
【図６】
0004539602.tif 000007
【図７】
0004539602.tif 000008
【図８】
0004539602.tif 000009
【図９】
0004539602.tif 000010
【図１０】
0004539602.tif 000011
【図１１】
0004539602.tif 000012